(57)【要約】【課題】使用状態に合わせて、異なる色温度の照明光を容易に切り替えて照射することができる洗面化粧台を提供する。【解決手段】洗面化粧台１は、鏡１３と、鏡１３の下方に配置された洗面ボウル２２と、照明装置３０と、を備えた洗面化粧台であって、照明装置３０は、使用者の所定の使用状態を検知する検知部４０と、検知部４０の検知によって切り替えられて発光する色温度の異なる２つのＬＥＤ光源５１，５２（複数の光源）を具備する照明部５０と、を有している。【選択図】図５
2019153544.tif 000002
【特許請求の範囲】
【請求項１】
鏡と、前記鏡の下方に配置された洗面ボウルと、照明装置と、を備えた洗面化粧台であって、
前記照明装置は、
使用者の所定の使用状態を検知する検知部と、
前記検知部の検知によって切り替えられて発光する色温度の異なる複数の光源を具備する照明部と、
を有していることを特徴とする洗面化粧台。
【請求項２】
前記照明装置は、前記検知部が所定の使用状態を検知する前の状態では所定の色温度の第１照明光を前記照明部から照射し、前記検知部が所定の使用状態を検知した後には前記第１照明光とは色温度の異なる第２照明光に切り替えて照射し、前記検知部が所定の使用状態を検知した後に所定の使用状態を検知する前の状態に戻ったときには、前記第１照明光に切り替えて照射することを特徴とする請求項１記載の洗面化粧台。
【請求項３】
前記複数の光源は、照射角度が異なる形態で配置されていることを特徴とする請求項１又は２記載の洗面化粧台。
【請求項４】
前記照明部は、前記鏡の下部に配置されていることを特徴とする請求項１乃至３のいずれか一項に記載の洗面化粧台。
【請求項５】
前記照明部は、前記検知部による検知前の状態では色温度が２６００Ｋ〜３２５０Ｋの照明光を照射し、前記検知部が検知したときには、色温度が５７００Ｋ〜７１００Ｋの照明光に切り替えて照射することを特徴とする請求項１乃至４のいずれか一項に記載の洗面化粧台。
【発明の詳細な説明】
【技術分野】
【０００１】
本発明は洗面化粧台に関する。
【背景技術】
【０００２】
特許文献１は従来の洗面化粧台を開示している。この洗面化粧台は、照明装置を備えている。照明装置は、鏡体の前側上部に設置されている。また、照明装置は、前後に並べて配置した色温度の異なる２つの光源を有している。このような構成により、特許文献１の照明装置は、２つの光源を独立して発光させたり、同時に発光させたりすることにより、色温度の異なる照明光を照射することができる。
【先行技術文献】
【特許文献】
【０００３】
【特許文献１】特開２００５−２０９３７１号公報
【発明の概要】
【発明が解決しようとする課題】
【０００４】
しかし、特許文献１の場合、２つの光源は操作スイッチによって夫々個別に点灯・消灯を切り替えなければならない。このため、色温度の異なる照明光を切り替えて照射するためには、使用者が自らスイッチ操作を行わなければならず煩雑であった。
【０００５】
本発明は、上記従来の実情に鑑みてなされたものであって、使用状態に合わせて、異なる色温度の照明光を容易に切り替えて照射することができる洗面化粧台を提供することを解決すべき課題としている。
【課題を解決するための手段】
【０００６】
本発明の洗面化粧台は、
鏡と、前記鏡の下方に配置された洗面ボウルと、照明装置と、を備えた洗面化粧台であって、
前記照明装置は、
使用者の所定の使用状態を検知する検知部と、
前記検知部の検知によって切り替えられて発光する色温度の異なる複数の光源を具備する照明部と、
を有していることを特徴とする。
【０００７】
本発明の洗面化粧台は、照明装置が照明部を有しており、この照明部は、色温度の異なる複数の光源を具備している。そして、色温度の異なる照明光の切り替えは、検知部による使用者の使用状態の検知によって行われる。このため、使用者が自ら操作スイッチを操作する場合と比較して、色温度の異なる照明光の切り替えを容易に行うことができる。例えば、インテリア性の良好な演出性に優れた色温度の照明光や、化粧や身だしなみを整える際に適した実用的な色温度の照明光等を、検知部が検知する使用者の使用状態に応じて自動的に切り替えて照射することができる。
【０００８】
したがって、本発明の洗面化粧台は、使用状態に合わせて、異なる色温度の照明光を容易に切り替えて照射することができる。
【０００９】
なお、上記「所定の使用状態」とは、使用者が洗面化粧台の正面にいる状態や、使用者が洗面ボウル内に手を差し出したり、物を挿入したりした状態等、洗面化粧台の種々の使用状態のいずれか、またはそれらの２以上の組み合わせを意図している。
【図面の簡単な説明】
【００１０】
【図１】実施例１に係る洗面化粧台を示す斜視図である。
【図２】実施例１に係る洗面化粧台を示す側面図である。
【図３】実施例１に係る照明部を示す拡大斜視図である。
【図４】実施例１の作用を説明するための図であり、検知部による所定の使用状態の検知前の照射状態を模式的に示す図である。
【図５】実施例１の作用を説明するための図であり、検知部による所定の使用状態の検知後の照射状態を模式的に示す図である。
【発明を実施するための形態】
【００１１】
本発明における好ましい実施の形態を説明する。
【００１２】
本発明の洗面化粧台において、前記照明装置は、前記検知部が所定の使用状態を検知する前の状態では所定の色温度の第１照明光を前記照明部から照射し、前記検知部が所定の使用状態を検知した後には前記第１照明光とは色温度の異なる第２照明光に切り替えて照射し、前記検知部が所定の使用状態を検知した後に所定の使用状態を検知する前の状態に戻ったときには、前記第１照明光に切り替えて照射し得る。
この場合、照明光の切り替えをより容易に行うことができる。
【００１３】
本発明の洗面化粧台において、前記複数の光源は、照射角度が異なる形態で配置され得る。
この場合、検知部による検知の前後で異なる照射角度で照明光を照射できるので、異なる色温度の照明光毎に照射範囲を使用状態に応じて適切に設定することができる。
【００１４】
本発明の洗面化粧台において、前記照明部は、前記鏡の下部に配置され得る。
この場合、照明部は、鏡下方の洗面ボウルの近傍に配置される。このため、洗面ボウル内に照明光を好適に照射することができる。
【００１５】
本発明の洗面化粧台において、前記照明部は、前記検知部による検知前の状態では色温度が２６００Ｋ〜３２５０Ｋの照明光を照射し、前記検知部が検知したときには、色温度が５７００Ｋ〜７１００Ｋの照明光に切り替えて照射し得る。
この場合、検知部による検知前の状態では、インテリア性を高めた色温度の照明光を照射することができ、検知後の状態では、実用性を高めた色温度の照明光を照射することができる。
【００１６】
次に、本発明の洗面化粧台を具体化した実施例１について、図面を参照しつつ説明する。なお、以下の説明では、上下の方向については、図１〜図５に示す向きをそのまま上下方向と定義し、左右の方向については、図１及び図３に示す向きをそのまま左右方向と定義し、前後の方向については、図２、図４及び図５に示す左方を前方、右方を後方と夫々定義して説明する。
【００１７】
＜実施例１＞
実施例１の洗面化粧台１は洗面所等に設置される。洗面化粧台１は、図１及び図２に示すように、ミラーキャビネット１０、洗面台２０及び照明装置３０を備えている。ミラーキャビネット１０は、キャビネット本体１１と、鏡１２，１３，１４とを有している。キャビネット本体１１は内部に収納空間が形成されている。鏡１２，１３，１４は、左右方向で３つに分割された形態でキャビネット本体１１の前面に設けられている。各鏡１２，１３，１４は、夫々上下方向を長手方向とする正面視略矩形状をなしている。これら鏡１２，１３，１４のうち、中央の鏡１３は左右の鏡１２，１４に比して左右に幅広に形成されている。また、各鏡１２，１３，１４は、各々の左右いずれかの一辺の後部側を回転軸として回動自在とされている。これにより、各鏡１２，１３，１４は、キャビネット本体１１の収納空間の前面扉として機能する。すなわち、ミラーキャビネット１０は、鏡１２，１３，１４を開くことによってキャビネット本体１１内の収納空間にアクセスすることができる。
【００１８】
洗面台２０はミラーキャビネット１０と略同等の左右幅で、ミラーキャビネット１０の下方に設けられている。洗面台２０は、洗面台本体２１、洗面ボウル２２、水栓２３及び操作レバー２４を有している。洗面台本体２１は略箱形状をなしている。洗面台本体２１の前面には、前方に引き出す形態で内部の収納空間にアクセス可能なドロワー２１Ａ，２１Ｂが設けられている。洗面台本体２１の上面後端部には立壁部２１Ｃが設けられている。立壁部２１Ｃは、洗面台本体２１の後面に沿って上方に立ち上がる形態で形成されている。立壁部２１Ｃは、洗面台本体２１の左右方向の長さの略全体に渡って上方に立ち上げられている。図２に示すように、立壁部２１Ｃの上端にはミラーキャビネット１０の下端が前方にオーバーハングする形態で載置されている。
【００１９】
洗面ボウル２２は洗面台本体２１の上面に配されている。洗面ボウル２２は、洗面ボウル２２の上面から下方に曲面状に凹んだ形態で形成されている。洗面ボウル２２の底部には開口が形成されており、排水管２５が接続されている。水栓２３及び操作レバー２４は、立壁部２１Ｃの前面から前方に突出する形態で左右に並んで設けられている。水栓２３及び操作レバー２４は、立壁部２１Ｃに下方から延びて配された給水管・給湯管を介して接続されている。水栓２３は自動水栓であり、先端部に配された図示しないセンサの検知によって湯水を吐出する。操作レバー２４は、水栓２３から吐出する湯水の水と湯の割合の調整や水量の調整の操作を行う。
【００２０】
照明装置３０はミラーキャビネット１０に配されている。本実施例の場合、照明装置３０は、本発明に係る鏡としてのミラーキャビネット１０の下部に配置されている。詳細には、図１及び図２に示すように、照明装置３０は、ミラーキャビネット１０の鏡１３の下部後方に配置されている。照明装置３０は鏡１３の背後に配置されており、洗面化粧台１の正面の作業者からは直接的には視認不能とされている。照明装置３０は、検知部４０及び照明部５０を具備している。これら検知部４０及び照明部５０は、ベース部材３１に取着されている。ベース部材３１は、図２及び図３に示すように、上部が前後に延びる形態で形成された上辺部３１Ａと、この上辺部３１Ａの後端から下方に延びる形態で形成された後辺部３１Ｂと、により断面略Ｌ字形状をなしている。ベース部材３１は、鏡１３の左右幅と略同等の左右幅に形成されている。
【００２１】
検知部４０は、ベース部材３１の上辺部３１Ａの左側端部であって、前部下面に取り付けられている。検知部４０は赤外光を用いた光電センサである。検知部４０は、円錐状の検知範囲を洗面ボウル２２内に向けて配置されている。これにより、検知部４０は、使用者の所定の使用状態として、本洗面化粧台１の使用者が洗面ボウル２２内に手を差し出した状態や、洗面ボウル２２内に物を入れた状態等を検知する。なお、検知部４０の検知範囲は、水栓２３のセンサの検知範囲を含み且つ水栓２３のセンサの検知範囲よりも広く設定されている。
【００２２】
照明部５０は複数の光源としての２つのＬＥＤ光源５１，５２を具備している。照明部５０は、これら２つのＬＥＤ光源５１，５２の発光を検知部４０の検知によって切り替える。図３に示すように、各ＬＥＤ光源５１，５２は、左右方向を長手方向とする矩形状の基板５１Ａ，５２Ａ上に、複数の発光素子５１Ｂ，５２Ｂが左右方向に所定間隔で並んで配された構成とされている。２つのＬＥＤ光源５１，５２は異なる色温度で発光する。具体的には、本実施例の場合、ＬＥＤ光源５１の各発光素子５１Ｂは、色温度２６００Ｋ〜３２５０Ｋで発光する。一方、ＬＥＤ光源５２の各発光素子５２Ｂは、色温度５７００Ｋ〜７１００Ｋで発光する。すなわち、照明装置３０は、ＬＥＤ光源５１を発光させたときには、色温度２６００Ｋ〜３２５０Ｋの第１照明光を照明部５０から照射し、ＬＥＤ光源５２を発光させたときには、色温度５７００Ｋ〜７１００Ｋの第２照明光を照明部５０から照射する。
【００２３】
本実施例において、２つのＬＥＤ光源５１，５２は、照射角度が異なる形態で配置されている。具体的には、ＬＥＤ光源５１は、ベース部材３１の上辺部３１Ａの下面に下方を向いて取り付けられている。これにより、ＬＥＤ光源５１が発光したときには、照明部５０は、下方を照射方向とする形態で第１照明光を照射する。一方、ＬＥＤ光源５２は、ベース部材３１の後辺部３１Ｂの前面に前方を向いて取り付けられている。これにより、ＬＥＤ光源５２が発光したときには、照明部５０は、前方を照射方向とする形態で第２照明光を照射する。すなわち、照明装置３０は、第１照明光の照射方向と第２照明光の照射方向とが交差する形態とされている（図４、図５等参照）。
【００２４】
次に、上記構成の洗面化粧台１の作用について説明する。
洗面化粧台１を使用する際には、最初に、図示しないメインスイッチによって照明装置３０の電源を入れる。この状態において、検知部４０が使用者の所定の使用状態を検知していない場合、すなわち、洗面化粧台１の使用者が所定の使用状態にない場合には、図４に示すように、照明部５０のＬＥＤ光源５１の発光素子５１Ｂが発光して照明部５０から第１照明光が照射される。ＬＥＤ光源５１は、ベース部材３１の上辺部３１Ａの下面に下向きに取り付けられている。このため、照明部５０からは、下方を照射方向とする形態の第１照明光が照射され、洗面台２０の水栓２３の近傍への間接的な照明光が照射される。また、発光素子５１Ｂは色温度２６００Ｋ〜３２５０Ｋの光を発光する。この範囲の色温度の光は所謂電球色（JISZ9112）の光であり、これによる第１照明光はインテリア性の良好な空間の演出に好適である。
【００２５】
また、洗面化粧台１は、図４に示す状態において、検知部４０が使用者の所定の使用状態を検知した場合、例えば、使用者が洗面台２０を利用して手を洗おうと水栓２３の下方に手を差し出した状態、すなわち、洗面ボウル２２内の水栓２３の下方に手が差し出されたことを検知部４０が検知した場合には、図５に示すように、ＬＥＤ光源５１を消灯してＬＥＤ光源５２を点灯する。すなわち、ＬＥＤ光源５２の発光素子５２Ｂが発光して照明部５０から第２照明光が照射される。ＬＥＤ光源５２は、ベース部材３１の後辺部３１Ｂの前面に前向きに取り付けられている。このため、照明部５０からは、前方を照射方向とする形態の第２照明光が照射され、洗面台２０の洗面ボウル２２内に差し出された手の方向への直接的な照明光が照射される。また、発光素子５２Ｂは色温度５７００Ｋ〜７１００Ｋの光を発光する。この範囲の色温度の光は所謂昼光色（JISZ9112）の光であり、これによる第２照明光は自然光に近く実用的で手元作業に好適である。
【００２６】
また、洗面化粧台１は、図４に示す第１照明光を照射した状態において、洗面ボウル２２内で衣類の手洗い等の作業を行おうと洗面ボウル２２内に衣類を挿入した状態、すなわち、洗面ボウル２２内の衣類や衣類を持つ手を検知部４０が検知した場合等においても、第１照明光から第２照明光に切り替える。洗面ボウル２２を用いて衣類の手洗い等の作業を行う場合、上述のように、実施例１の照明装置３０は、検知部４０の検知範囲が水栓２３のセンサの検知範囲よりも広く設定されている。このため、検知部４０は、水栓２３の下方に衣類を差し出して吐水させたり、吐水させることなく洗面ボウル２２の手前側で揉み洗いを行ったり等、水栓２３からの吐水の有無に関わらず、洗面ボウル２２内に物や手が挿入された状態を検知する。このように、実施例１の検知部４０は、使用者の所定の使用状態として、洗面ボウル２２内に物を挿入したり使用者が手を差し出したりした状態を広く検知する。これにより、照明装置３０は、洗面ボウル２２内の作業に適した第２照明光に切り替えて照明光を照射する。
【００２７】
また、本実施例において、洗面化粧台１は、洗面ボウル２２内に差し出した手を戻したり、洗面ボウル２２内の衣類を取り出したりなど、上述の作業が終了して検知部４０により検知される前の状態に戻ったときには、照明装置３０の照明部５０から照射される照明光が第２照明光から第１照明光に再び切り替えられる。この時、照明部５０は、ＬＥＤ光源５２では発光素子５２Ｂの発光強度が徐々に低下するとともに、ＬＥＤ光源５１では発光素子５１Ｂの発光強度が徐々に上昇する。すなわち、第２照明光が照射された状態から第１照明光が照射された状態に切り替わる際には、所定の時間をかけて徐々に切り替わる。
【００２８】
以上のように、実施例１の洗面化粧台１は、鏡としてのミラーキャビネット１０と、このミラーキャビネット１０の下方に配置された洗面ボウル２２を有する洗面台２０と、照明装置３０と、を備えている。照明装置３０は、使用者の所定の使用状態としての洗面ボウル２２内に手を差し出した状態等を検知する検知部４０と、この検知部４０の検知によって切り替えられて発光する色温度の異なる複数の光源としての２つのＬＥＤ光源５１，５２を具備する照明部５０と、を有している。
【００２９】
このように、洗面化粧台１は、照明装置３０が照明部５０を有しており、この照明部５０は、色温度２６００Ｋ〜３２５０Ｋ及び５７００Ｋ〜７１００Ｋの異なる色温度で発光する２つのＬＥＤ光源５１，５２を具備している。このような構成により、洗面化粧台１の照明装置３０は、色温度２６００Ｋ〜３２５０Ｋの第１照明光と色温度５７００Ｋ〜７１００Ｋの第２照明光とを切り替えて照射することができる。そして、色温度の異なる第１照明光及び第２照明光の切り替えは、検知部４０による使用者の使用状態の検知によって行われる。このため、使用者が自ら操作スイッチを操作する場合と比較して、色温度の異なる照明光の切り替えを容易に行うことができる。また、洗面化粧台１は、照明装置３０が、色温度２６００Ｋ〜３２５０Ｋのインテリア性の良好な演出性に優れた第１照明光と、色温度５７００Ｋ〜７１００Ｋの化粧や身だしなみを整える際に適した実用的な第２照明光とを、検知部４０が検知する使用者の使用状態に応じて自動的に切り替えて照射することができる。
【００３０】
したがって、実施例１の洗面化粧台１は、使用状態に合わせて、異なる色温度の照明光を容易に切り替えて照射することができる。
【００３１】
また、照明装置３０は、検知部４０が所定の使用状態を検知する前の状態では第１照明光を照明部５０から照射し、検知部４０が所定の使用状態を検知した後には、第１照明光とは色温度の異なる第２照明光に切り替えて照射し、検知部４０が所定の使用状態を検知した後に所定の使用状態を検知する前の状態に戻った際には、第１照明光に切り替えて照射する。このように、第２照明光を照射した状態から第１照明光を照射した状態に戻す際の切り替えも検知部４０の検知によって行われるので、照明光の切り替えをより容易に行うことができる。
【００３２】
また、複数の光源としての２つのＬＥＤ光源５１，５２は、照射角度が異なる形態で配置されている。このため、検知部４０による検知の前後で異なる照射角度で照明光を照射できるので、異なる色温度の照明光毎に照射範囲を使用状態に応じて適切に設定することができる。
【００３３】
また、照明部５０は、鏡としてのミラーキャビネット１０の下部に配置されている。すなわち、照明部５０は、ミラーキャビネット１０の下方の洗面ボウル２２の近傍に配置されている。このため、洗面ボウル２２内に照明光を好適に照射することができる。また、照明部５０は鏡１３の背後に配置されているので、洗面化粧台１の正面に立つ使用者からはＬＥＤ光源５１，５２が直接視界に入らない。このため、間接照明や手元作業の行う際の照明として好適に使用することができる。
【００３４】
また、照明部５０は、検知部４０による検知前の状態では色温度が２６００Ｋ〜３２５０Ｋの照明光である第１照明光を照射し、検知部４０が検知したときには、色温度が５７００Ｋ〜７１００Ｋの照明光である第２照明光に切り替えて照射する。このため、検知部４０による検知前の状態では、インテリア性を高めた色温度の第１照明光を照射することができ、検知後の状態では、実用性を高めた色温度の第２照明光を照射することができる。
【００３５】
また、照明部５０は、検知部４０により検知される前の状態に戻ったときには、第２照明光から第１照明光に再び切り替えて照射する。この時、照明部５０は、ＬＥＤ光源５２の発光素子５２Ｂの発光強度を徐々に低下させるとともに、ＬＥＤ光源５１の発光素子５１Ｂの発光強度を徐々に上昇させる。このため。演出性をより向上させることができる。
【００３６】
本発明は上記記述及び図面によって説明した実施例１に限定されるものではなく、例えば次のような実施例も本発明の技術的範囲に含まれる。
（１）実施例１では、鏡としてのミラーキャビネットを備える形態を例示したが、単に鏡のみを備えた形態であってもよい。
（２）実施例１では、左右方向に３分割された鏡を備える形態を例示したが、２分割や４分割以上に分割された形態であってもよいし、分割されていない形態であってもよい。
（３）実施例１では、洗面ボウルが洗面台に備えられた形態を例示したが、洗面ボウルの構成は特に限定されない。
（４）実施例１では、色温度の異なる複数の光源として２つのＬＥＤ光源を備える形態を例示したが、光源の種類や数は特に限定されない。
（５）実施例１では、切り替えて照射する照明光として、色温度２６００Ｋ〜３２５０Ｋの第１照明光と、色温度５７００Ｋ〜７１００Ｋの第２照明光の２種類の照明光を例示したが、３種類以上の色温度の異なる照明光であってもよい。また、照明光の色温度の範囲は実施例１に限定されるものではなく、任意に設定することができる。
（６）実施例１では、複数の光源が照射角度の異なる形態で配置されている形態を例示したが、略同等の照射角度であってもよい。また、照射角度が異なる場合でも、実施例１の照射角度に限定されず、例えば、上方と前方、下方斜め後方と前方斜め下方等、種々の組み合わせを採用することができる。
（７）実施例１では、照明装置を鏡の下部に配置する形態を例示したが、これは必須ではない。照明装置は、所望の位置に配置することができる。また、照明装置を鏡の下部に配置する場合には、他の照明装置を鏡の上部等の異なる他の位置に配置してもよい。
（８）実施例１では、検知部と複数の光源とをベース部材に取り付け、夫々を近接させて配置する形態を例示したが、検知部と複数の光源とを離間させた位置に夫々配置してもよい。例えば、検知部が鏡の上部に配置された形態や、検知部が水栓の吐出用のセンサを兼ねる形態等であってもよい。
（９）実施例１では、検知部が所定の使用状態を検知した後に所定の使用状態を検知する前の状態に戻ったときには、第２照明光から第１照明光に再び切り替える形態を例示したが、これは必須ではない。第２照明光から第１照明光に再び切り替える場合には、例えば、使用者が洗面化粧台の正面から立ち去った状態等、第１照明光から第２照明光に切り替える際に検知した使用状態とは異なる使用状態を検知することにより切り替える形態としてもよい。また、第２照明光から第１照明光に再び切り替える際には、使用者の使用状態を検知する他の検知部を更に備えた形態としてもよい。この場合、他の検知部の配設位置等は特に限定されない。
（１０）実施例１では、第２照明光から第１照明光に再び切り替える際には、所定時間をかけて徐々に切り替わる形態を例示したが、これは必須ではなく、瞬時に切り替わる形態であってもよい。また、所定時間をかけて徐々に切り替わる形態は、第１照明光から第２照明光に切り替わる際に適用されてもよい。
（１１）実施例１では、検知部として、赤外光を用いた光電センサを例示したが、検知部の形態は、使用者の所定の使用状態を検知する限り特に限定されない。
【符号の説明】
【００３７】
１…洗面化粧台
１０…ミラーキャビネット
１１…キャビネット本体
１２，１３，１４…鏡
２０…洗面台
２１…洗面台本体
２１Ａ，２１Ｂ…ドロワー
２１Ｃ…立壁部
２２…洗面ボウル
２３…水栓
２４…操作レバー
２５…排水管
３０…照明装置
３１…ベース部材
３１Ａ…上辺部
３１Ｂ…後辺部
４０…検知部
５０…照明部
５１，５２…ＬＥＤ光源（複数の光源）
５１Ａ，５２Ａ…基板
５１Ｂ，５２Ｂ…発光素子
【図１】
2019153544.tif 000003
【図２】
2019153544.tif 000004
【図３】
2019153544.tif 000005
【図４】
2019153544.tif 000006
【図５】
2019153544.tif 000007